(57)【要約】      （修正有）【課題】電力不要の流量制御弁を用いることにより、従来のオリフィス付き自動弁の有する問題点を解消する。【解決手段】吸引管の途中部に設置される流量制御弁１のシリンダ部２Ａは、一端部が閉塞された円筒状で、閉塞部分２Ａ′の中心部に、流出口３と、該流出口３の内側に連成された該流出口３より小径の開口４を設け、カバー部２Ｂは、一端部が閉塞された円筒状をなし、閉塞部分２Ｂ′の中心部に、流出口３と同径の流入口７を設ける。ピストン部９は、一端部が閉塞された円筒状をなし、他端部外径がシリンダ部２Ａの内径と等しいフランジ部１０を形成する。閉塞部分９′の中心部に、シリンダ部２Ａにおける開口４より小径の開口１１を設けると共に、円筒状部分に該開口１１より大径の開口１２を設ける。流入する水の圧力によってコイルバネ１３の付勢力に抗して最前進位置まで移動することによりその閉塞部分９′がシリンダ部２Ａの内側面に密接する。【選択図】図２
2019042094.tif 000002
【特許請求の範囲】
【請求項１】
消火水槽から送水ポンプを介して上方に立ち上がって配管された一次側配管と、
前記一次側配管に接続され、スプリンクラーヘッドまで配管された二次側配管と、
前記一次側配管と前記二次側配管との間に設置され、火災発生時以外では閉状態が維持される予作動式流水検知装置と、
火災を感知して火災信号を送出する火災感知器と、
前記二次側配管に一端側を接続すると共に、他端側を、真空ポンプから立ち上がって配管された吸気管と、下端が前記消火水槽まで垂下した排水管とに接続された吸引管と、
前記吸引管の途中部に設置された、前記二次側配管内の圧力の適正保持用の流量制御弁と、
前記吸引管の途中部における前記流量制御弁より前記二次側配管側の位置に設置された、前記二次側配管内の圧力を検出する真空スイッチと、
火災発生時に前記火災感知器からの火災信号を受信し、後記制御盤に該信号を送信する信号受信盤と、
前記信号受信盤からの信号を受信し、前記予作動式流水検知装置を開状態として前記一次側配管と前記二次側配管とを連通状態とすると共に、前記送水ポンプを作動させる制御盤とからなり、
火災発生時以外のときには前記一次側配管と前記二次側配管のいずれにも水が充填されており、且つ前記二次側配管内を、前記吸引管及び前記吸気管を介して前記真空ポンプで負圧状態とする負圧湿式予作動スプリンクラー設備において、
前記吸引管の途中部に設置された流量制御弁として、
二次側配管から吸引管に流入する空気と水が通過する本体部と、該本体部内で水の圧力により前進移動可能に設けられたピストン部と、該ピストン部を後退移動方向に付勢するコイルバネとによって構成され、
前記本体部は、シリンダ部と、該シリンダ部の一端側に装着されるカバー部とからなり、
前記シリンダ部は、その一端部が閉塞された円筒状をなし、閉塞部分の中心部に、流出口と、該流出口の内側に連成された該流出口より小径の開口を設けてなり、
前記カバー部は、一端部が閉塞された円筒状をなし、閉塞部分の中心部に、前記流出口と同径の流入口を設けてなり、
前記ピストン部は、一端部が閉塞された円筒状をなし、他端部に外径が前記シリンダ部の内径と等しいフランジ部を形成し、閉塞部分の中心部に前記シリンダ部における閉塞部分の開口より小径の開口を設けると共に、円筒状部分に該開口より大径の開口を設けてなり、流入する水の圧力によって前記コイルバネの付勢力に抗して最前進位置まで移動することによりその閉塞部分が前記シリンダ部の内側面に密接するようになされた流量制御弁を用いてなることを特徴とする負圧湿式予作動スプリンクラー設備。
【請求項２】
ピストン部に設ける大径の開口と小径の開口とを、大径の開口のみとしてなる請求項１記載の負圧湿式予作動スプリンクラー設備。
【請求項３】
ピストン部におけるフランジ部の外周部に、前部が低い傾斜面を形成する一方、シリンダ部における前記ピストン部のフランジ部の傾斜面に対応する位置に孔を貫設し、該孔内に、下端部が前記ピストン部のフランジ部の傾斜面に摺接し、コイルバネをもって内方に移動するよう付勢された円柱状のインジケータを出没自在に挿入してなる請求項１又は２記載の負圧湿式予作動スプリンクラー設備。
【請求項４】
シリンダ部に孔を貫設し、該孔内に、コイルバネをもって内方に移動するよう付勢された円柱状のインジケータを出没自在に挿入し、前記ピストン部が最前進位置まで移動したときの水の圧力により前記コイルバネの付勢力に抗して前記孔から突出するようになした請求項１又は２記載の負圧湿式予作動スプリンクラー設備。
【発明の詳細な説明】
【技術分野】
【０００１】
本発明は、二次側配管内に水が充填され且つ火災発生時以外においては負圧状態とする負圧湿式予作動スプリンクラー設備に関するものである。
【背景技術】
【０００２】
従来における消火設備として、スプリンクラーヘッドの破損等が生じた場合に漏水を防止し、且つ火災発生時に速やかに放水する機能を有する、二次側配管内に水が充填され且つ火災発生時以外においては負圧状態とする負圧湿式予作動スプリンクラー設備がある。
【０００３】
図１３は斯かる負圧湿式予作動スプリンクラー設備の概略構成図である。該図において１００は負圧湿式予作動スプリンクラー設備である。
【０００４】
１０１は消火水槽１０２から送水ポンプ１０３を介して立ち上がって配管された一次側配管である。１０４は前記一次側配管１０１に接続され、スプリンクラーヘッド１０５まで配管された二次側配管である。
【０００５】
１０６は前記一次側配管１０１と二次側配管１０４との間に設置され、火災発生時以外では閉状態が維持される予作動式流水検知装置である。１０７は天井部に設置された、火災を感知して火災信号を送出する火災感知器である。
【０００６】
１０８は前記二次側配管１０４に一端側１０８Ａを接続すると共に、他端側１０８Ｂを、真空ポンプ１０９から立ち上がって配管された吸気管１１０と、下端が前記消火水槽１０２まで垂下した排水管１１１とに接続された吸引管である。
【０００７】
１１２は前記吸引管１０８の途中部に設置された、前記二次側配管１０４内の負圧の状態の正常時には少量の、異常時には多量の流通量とする流量制御弁である。また、該流量制御弁１１２は、図１４及び図１５に示すオリフィス付き自動弁であり、口径４０Ａの直動式電磁弁のものがある。そしてまた、その定格はＤＣ２４ボルト、１，５８０ｍＡである。
【０００８】
また、該流量制御弁１１２であるオリフィス付き自動弁は、図１４に示す如く、二次側配管１０４内の負圧の状態の正常時（緩慢な圧力上昇）には、入口側の開口１１２ａから本体内に流入した水を含んだ空気は、矢標で示すようにオリフィス（小孔）１１２Ａを通過することによって少量が出口側の開口１１２ｂに流れるようにされている。そしてまた、二次側配管１０４内の負圧の状態の異常時（圧力の急上昇）には、図１５に示す如く、通電によって電磁コイル１１２ｃ及びプランジャ１１２ｄを介して弁体１１２ｅを上昇させ、開放された本来の流路１１２Ｂを通って多量が出口側の開口１１２ｂに流れるようにされているものである。
【０００９】
また、図１３において１１３は前記吸引管１０８の途中部における前記流量制御弁１１２より二次側配管１０４側の位置に設置された、二次側配管１０４内の圧力を検出する真空スイッチである。
【００１０】
１１４は火災発生時に前記火災感知器１０７からの火災信号を受信し、後記制御盤に該信号を送信する信号受信盤である。
【００１１】
１１５は前記信号受信盤１１４からの信号を受信し、前記予作動式流水検知装置１０６を開状態として前記一次側配管１０１と二次側配管１０４とを連通状態とすると共に、前記送水ポンプ１０３を作動させる制御盤である。尚、その他図中１１６は前記吸気管１１０の前記吸引管１０８への接続部分に設置した気水分離器、１１７は前記吸引管１０８の前記吸気管１１０と排水管１１１との接続部分に設置した逆止弁である。
【００１２】
そして、火災発生時以外のときには一次側配管１０１と二次側配管１０４のいずれにも水が充填されており、且つ二次側配管１０４内を、吸引管１０８及び吸気管１１０を介して真空ポンプ１０９で負圧状態とするものである。
【００１３】
また、火災発生時には、火災感知器１０７が火災を感知して火災信号を信号受信盤１１４に送信し、そして該信号受信盤１１４から該信号を制御盤１１５に送信する。該信号を受信した制御盤１１５は予作動式流水検知装置１０６を開状態とすると共に送水ポンプ１０３を作動させる。これによりスプリンクラーヘッド１０５から放水が連続して行われるものである。尚、斯かる際には、流量制御弁１１２であるオリフィス付き自動弁は、図１４に示す平常時の状態であって、真空ポンプ１０９の作動は停止される。
【００１４】
従来における負圧湿式予作動スプリンクラー設備は上記の通りである。しかし、斯かる設備には二次側配管内の負圧の状態を適正に保持する構成において問題がある。それは、吸引管１０８の途中部に設置された流量制御弁１１２としてオリフィス付き自動弁を用いていることによるものである。
【００１５】
而して、斯かるオリフィス付き自動弁は電磁弁であり、そして、斯かる電磁弁は、無通電時には閉止し、通電時に開放するなど制御方法がシンプルであるというメリットがある一方、消費電流が大きく、且つ弁体の開放中は通電し続けなければならず、大きな電源が必要となる。そして、上記の如く、従来の設備に用いられていたオリフィス付き自動弁は、口径４０Ａの直動式電磁弁のものがあり、そして、その定格はＤＣ２４ボルト、１，５８０ｍＡであって、消費電流も大きく且つ弁体の開放に大きな電源が必要であった。
【００１６】
また、従来用いられていた電磁弁は、上記の通り消費電流も大きく且つ弁体の開放に大きな電源が必要であることから、停電時における問題もある。即ち、停電時において、二次側配管の破損等で二次側配管内の圧力が急上昇する事態が起き、弁を開放させる必要が生じることがあるが、その場合に備えて容量の大きい蓄電池を設けるか、非常電源設備による給電を行うなどの対策が必要であった。しかし、容量の大きい蓄電池を設ける場合には、蓄電池自体の大きさだけでなく、それを収納する制御盤の大きさも大きくなり、コストも増えることになる。また、非常電源設備による給電を行う場合には、予め非常電源設備の設計の際に電源容量を見込む必要があり、設備のリニューアルに対応できない等の問題があった。また、電磁弁の場合には目視では現在弁が開放しているのか閉止しているのかが分らないという問題もあった。
【発明の概要】
【発明が解決しようとする課題】
【００１７】
本発明は上記の点に鑑みなされたものであって、二次側配管内の圧力の適正保持用の流量制御弁として、電力消費の大きい従来のオリフィス付き自動弁に替えて電力不要の流量制御弁を用いることにより、上記従来の問題点を悉く解消することができるようになした負圧湿式予作動スプリンクラー設備を提供しようとするものである。
【課題を解決するための手段】
【００１８】
而して、本発明の要旨とするところは、消火水槽から送水ポンプを介して上方に立ち上がって配管された一次側配管と、
前記一次側配管に接続され、スプリンクラーヘッドまで配管された二次側配管と、
前記一次側配管と前記二次側配管との間に設置され、火災発生時以外では閉状態が維持される予作動式流水検知装置と、
火災を感知して火災信号を送出する火災感知器と、
前記二次側配管に一端側を接続すると共に、他端側を、真空ポンプから立ち上がって配管された吸気管と、下端が前記消火水槽まで垂下した排水管に接続された吸引管と、
前記吸引管の途中部に設置された、前記二次側配管内の圧力の適正保持用の流量制御弁と、
前記吸引管の途中部における前記流量制御弁より前記二次側配管側の位置に設置された、前記二次側配管内の圧力を検出する真空スイッチと、
火災発生時に前記火災感知器からの火災信号を受信し、後記制御盤に該信号を送信する信号受信盤と、
前記信号受信盤からの信号を受信し、前記予作動式流水検知装置を開状態として前記一次側配管と前記二次側配管とを連通状態とすると共に、前記送水ポンプを作動させる制御盤とからなり、
火災発生時以外のときには前記一次側配管と前記二次側配管のいずれにも水が充填されており、且つ前記二次側配管内を、前記吸引管及び前記吸気管を介して前記真空ポンプで負圧状態とする負圧湿式予作動スプリンクラー設備において、
前記吸引管の途中部に設置された流量制御弁として、
二次側配管から吸引管に流入する空気と水が通過する本体部と、該本体部内で水の圧力により前進移動可能に設けられたピストン部と、該ピストン部を後退移動方向に付勢するコイルバネとによって構成され、
前記本体部は、シリンダ部と、該シリンダ部の一端側に装着されるカバー部とからなり、
前記シリンダ部は、その一端部が閉塞された円筒状をなし、閉塞部分の中心部に、流出口と、該流出口の内側に連成された該流出口より小径の開口を設けてなり、
前記カバー部は、一端部が閉塞された円筒状をなし、閉塞部分の中心部に、前記流出口と同径の流入口を設けてなり、
前記ピストン部は、一端部が閉塞された円筒状をなし、他端部に外径が前記シリンダ部の内径と等しいフランジ部を形成し、閉塞部分の中心部に前記シリンダ部における閉塞部分の開口より小径の開口を設けると共に、円筒状部分に該開口より大径の開口を設けてなり、流入する水の圧力によって前記コイルバネの付勢力に抗して最前進位置まで移動することによりその閉塞部分が前記シリンダ部の内側面に密接するようになされた流量制御弁を用いてなることを特徴とする負圧湿式予作動スプリンクラー設備にある。
【００１９】
また、上記構成において、ピストン部に設ける大径の開口と小径の開口とを、大径の開口のみとしてもよい。
【００２０】
また、上記構成において、ピストン部におけるフランジ部の外周部に、前部が低い傾斜面を形成する一方、シリンダ部における前記ピストン部のフランジ部の傾斜面に対応する位置に孔を貫設し、該孔内に、下端部が前記ピストン部のフランジ部の傾斜面に摺接し、コイルバネをもって内方に移動するよう付勢された円柱状のインジケータを出没自在に挿入するようになしてもよい。
【００２１】
また、上記構成において、シリンダ部に孔を貫設し、該孔内に、コイルバネをもって内方に移動するよう付勢された円柱状のインジケータを出没自在に挿入し、前記ピストン部が最前進位置まで移動したときの水の圧力により前記コイルバネの付勢力に抗して前記孔から突出するようになしてもよい。
【発明の効果】
【００２２】
本発明は上記の如き構成であり、二次側配管内の圧力の適正保持用の流量制御弁として、電力消費の大きい従来のオリフィス付き自動弁に替えて電力不要の流量制御弁を用いるものであるから、従来の問題点を悉く解消することができるものである。また、非常電源設備からの給電を検討する必要もない。また、ピストン部の最前進位置への移動に伴いシリンダ部からインジケータが突出するようになした場合には、目視でピストン部の位置を確認することができるものである。
【図面の簡単な説明】
【００２３】
【図１】本発明の実施形態に係る負圧湿式予作動スプリンクラー設備の概略構成図である。
【図２】本発明の実施形態に係る負圧湿式予作動スプリンクラー設備における流量制御弁の断面図であり、平常時の状態を示すものである。
【図３】本発明の実施形態に係る負圧湿式予作動スプリンクラー設備における流量制御弁の断面図であり、火災発生時の状態を示すものである。
【図４】本発明の実施形態に係る負圧湿式予作動スプリンクラー設備における流量制御弁の第１変形例の断面図であり、平常時の状態を示すものである。
【図５】本発明の実施形態に係る負圧湿式予作動スプリンクラー設備における流量制御弁の第２変形例の断面図であり、平常時の状態を示すものである。
【図６】図５中Ａ部分の拡大図である。
【図７】本発明の実施形態に係る負圧湿式予作動スプリンクラー設備における流量制御弁の第２変形例の断面図であり、火災発生時の状態を示すものである。
【図８】図７中Ｂ部分の拡大図である。
【図９】本発明の実施形態に係る負圧湿式予作動スプリンクラー設備における流量制御弁の第３変形例の断面図であり、平常時の状態を示すものである。
【図１０】図９中Ｃ部分の拡大図である。
【図１１】本発明の実施形態に係る負圧湿式予作動スプリンクラー設備における流量制御弁の第３変形例の断面図であり、火災発生時の状態を示すものである。
【図１２】図１１中Ｄ部分の拡大図である。
【図１３】従来の負圧湿式予作動スプリンクラー設備の概略構成図である。
【図１４】従来の負圧湿式予作動スプリンクラー設備におけるオリフィス付き自動弁の作用説明図であり、二次側配管内の圧力の緩慢な上昇時の状態を示すものである。
【図１５】従来の負圧湿式予作動スプリンクラー設備におけるオリフィス付き自動弁の作用説明図であり、二次側配管内の圧力の急上昇時の状態を示すものである。
【発明を実施するための形態】
【００２４】
以下、本発明を実施するための形態について、図面を参照して説明する。
【００２５】
図１は本発明の実施形態に係る負圧湿式予作動スプリンクラー設備１００′の概略構成図である。尚、吸引管の途中部に設置された、二次側配管内の圧力の状態を適正に保持する流量制御弁の点のみが異なり、その他の構成は図１３に示した従来の負圧湿式予作動スプリンクラー設備と同様であるから、同一の部材には同一の符号を付して詳細な説明は省略する。
【００２６】
而して、本実施形態に係る負圧湿式予作動スプリンクラー設備１００′は、吸引管１０８の途中部に設置された、二次側配管１０４内の圧力の適正保持用の流量制御弁として電力不要の流量制御弁１を用いることにおいて前記従来の負圧湿式予作動スプリンクラー設備１００と相違するものである。
【００２７】
また、斯かる電力不要の流量制御弁１は、図２に示す如く、二次側配管１０４から吸引管１０８に流入する空気と水が通過する本体部２と、該本体部２内で水の圧力により前進移動可能に設けられたピストン部９と、該ピストン部９を後退移動方向に付勢するコイルバネ１３とによって構成される。
【００２８】
また、前記本体部２は、シリンダ部２Ａと、該シリンダ２Ａの一端側に装着されるカバー部２Ｂとからなる。
【００２９】
前記シリンダ部２Ａは、その一端部（図２における右端部）が閉塞された円筒状に形成されており、閉塞部分２Ａ′の中心部には、流出口３と、該流出口３の内側に連成された該流出口３より小径の円形の開口４を設けている。また、該流出口３は、逆止弁１１７の流入側に接続され、続いて逆止弁１１７の流出側は、吸引管１０８と排水管１１１の接合部１０８Ｂに接続される。
【００３０】
また、前記シリンダ部２Ａの他端側の外周面には雄ネジ５が刻設され、これに対応して内周面に雌ネジ６が刻設されたカバー部２Ｂを螺合装着するようになされている。
【００３１】
また、前記カバー部２Ｂは、一端部（図２における左端部））が閉塞された円筒状に形成されており、閉塞部分２Ｂ′の中心部には、前記流出口３と同径の流入口７が形成されている。
【００３２】
また、前記シリンダ部２Ａの他端側の端面と前記カバー部２Ｂの閉塞部分２Ｂ′との間にはＯリング８が介装され、シリンダ部２Ａとカバー部２Ｂとの間の水密性が保たれている。
【００３３】
また、前記ピストン部９は、前記シリンダ部２Ａの内部に水の圧力により前進移動可能に設けられている。また、該ピストン部９は円筒状であって、一端部（図２における右端部）が閉塞９′されており、他端部（図２における左端部）にはフランジ部１０が形成されている。
【００３４】
該フランジ部１０は、その外径がシリンダ部２Ａの内径と略等しく設定され、該フランジ部１０の外周面がシリンダ部２Ａの内周面に沿って移動することで、ピストン部９の中心線方向に沿った進退移動をガイドしている。
【００３５】
また、前記ピストン部９の閉塞部分９′の中心部には、前記シリンダ部２Ａの開口４より小さい円形の開口１１が形成されると共に、ピストン部９の円筒状部分には、該開口１１より大径の開口１２が形成されている。
【００３６】
また、ピストン部９は、シリンダ部２Ａ内において、互いに中心線が同一軸上になるように配設され、且つピストン部９はその中心線方向に沿って進退移動自在とされている。そして、ピストン部９は最前進位置まで移動（図３）することにより、その閉塞部分９′がシリンダ部２Ａの内側面に密接することが可能となっている。
【００３７】
このとき、シリンダ部２Ａの開口４とピストン部９の小径の開口１１とは互いに重合した状態となる。また一方、ピストン部９の円筒状部分に形成された大径の開口１２は、ピストン部９の閉塞部分９′とシリンダ部２Ａの内側面の密接により流路が閉塞された状態となる。
【００３８】
つまり、ピストン部９は、最前進位置に位置していないとき（図２）には、該ピストン部９内に流入した空気と水を小径の開口１１と大径の開口１２とに通過させることができ、最前進位置に位置するとき（図３）には、該ピストン部９内に流入した水をピストン部９の小径の開口１１にのみ通過させることができる。
【００３９】
尚、ピストン部９に形成された小径の開口１１と大径の開口１２の全開口面積はシリンダ部２Ａの開口４の開口面積より小さく設定されている。
【００４０】
また、前記コイルバネ１３は、前記シリンダ部２Ａ内において、ピストン部９を挿入させた状態でそのフランジ部１０に当接し、該ピストン部９を流入口７側に押圧付勢している。したがって、流入口７から水が流入し、その圧力が該コイルバネ１３の付勢力を超えている状態でピストン部９は前進移動が行われることになる。
【００４１】
そして、該コイルバネ１３の弾発力（バネ定数）は、火災発生時において二次側配管１０４内に一次側配管１０１から水が供給され、該水の一部が吸引管１０８内に流入したときの圧力によってのみ縮小する程度であることを要する。
【００４２】
次に、上記流量制御弁の作用について説明する。
火災発生時以外のときにおける二次側配管の温度変化による体積膨張や流量制御管等からの微少な空気流入等による緩慢な圧力上昇があるときは、図２に示す如く、ピストン部９は後退位置にあり、カバー部２Ｂの流入口７から流入した空気と水は、ピストン部９の小径の開口１１と大径の開口１２を通って合流し、シリンダ部２Ａの開口４と流出口３から流出する。
【００４３】
また、スプリンクラーヘッド等が破損して二次側配管内の圧力が急速に上昇したときには、ピストン部９は図１と同じ後退位置にあって、真空ポンプ１０９が作動する。そして、この吸引によって漏水が防止される。尚、その際において真空ポンプ１０９の吸引力はコイルバネ１３の弾発力より低いためピストン部９は移動しない。
【００４４】
また、火災発生時において一次側配管１０１から二次側配管１０４に水が供給され、その水の一部が吸引管１０８内に流入すると、図３に示す如く、その水の圧力によってコイルバネ１３の付勢力に抗してピストン部９が最前進位置まで移動し、その閉塞部分９′がシリンダ部２Ａの内側面に密接する。また、このときにおいては真空ポンプ１０９は作動しない。そして、これにより水はピストン部９の小径の開口１１を通じて少量しか流れず、スプリンクラーヘッド１０５からの充分な放水が確保される。尚、ピストン部９の小径の開口１１から引き続き水が流出するが、該開口１１の径は小さいことから流出の影響は少ない。
【００４５】
そして、消火完了後、予作動式流水検知装置１０６が閉止すると、ピストン部９の小径の開口１１から水が流出することで二次側配管１０４内の圧力が減少し、ピストン部９はコイルバネ１３によって再び後退位置に戻される。
【００４６】
以上の如く、本実施形態に係る流量制御弁１は、電力を要することなく作動するものである。
【００４７】
次に、図４に示す流量制御弁１の第１変形例について説明する。
【００４８】
該第１変形例は、ピストン部９における大径の開口１２と小径の開口１１とを、大径の開口１２のみとしたものであり、そして、この点においてのみ相違し、その他の構成は上記実施形態における流量制御弁と同様であるから、同一の部材には同一の符号を付して詳細な説明は省略する。
【００４９】
斯かる第１変形例は、予作動式流水検知装置に連通する配水管に設置された排水弁等から排水することで二次側配管内の圧力を減少させることができる場合に用いるものである。
【００５０】
次に、図５乃至図８に示す流量制御弁１の第２変形例について説明する。
【００５１】
斯かる第２変形例は、ピストン部の位置を外部から確認することができるようにしたものであり、インジケータの部分を除いてその他の構成は上記実施形態における流量制御弁と同様であるから、同一の部材には同一の符号を付して詳細な説明は省略する。
【００５２】
而して、該第２変形例は、ピストン部９におけるフランジ部１０の外周部に、前部が低い傾斜面１０Ａを形成する一方、シリンダ部２Ａにおける前記ピストン部９のフランジ部１０の傾斜面１０Ａに対応する位置に孔２Ａ″を貫設し、該孔２Ａ″内に、下端部が前記ピストン部９のフランジ部１０の傾斜面１０Ａに摺接し、コイルバネ１４をもって内方に移動するよう付勢された円柱状のインジケータ１５を出没自在に挿入してなるものである。尚、インジケータ１５とシリンダ部２Ａの孔２Ａ″との間にはＯリング１６が介装され、インジケータ１５とシリンダ部２Ａとの間の水密性が保たれている。また、シリンダ部２Ａの孔２Ａ″の開口端には、インジケータ１５を摺動自在に嵌合した環状バネ受け１７が取着されている。
【００５３】
該第２変形例においては、図５及び図６に示す如く、ピストン部９が後退位置にあるときにおいてはインジケータ１５の上端部はシリンダ部２Ａの孔２Ａ″内に没入しており、また、図７及び図８に示す如く、ピストン部９が最前進位置に移動したときには、インジケータ１５がピストン部９のフランジ部１０の傾斜面１０Ａによって突き上げられ、その上端部がシリンダ部２Ａの孔２Ａ″から突出するものである。
【００５４】
次に、図９乃至図１２に示す流量制御弁１の第３変形例について説明する。
【００５５】
斯かる第３変形例は、前記第２変形例と同じくピストン部の位置を外部から確認することができるようにしたものであり、インジケータの部分を除いてその他の構成は上記実施形態における流量制御弁と同様であるから、同一の部材には同一の符号を付して詳細な説明は省略する。
【００５６】
而して、該第３変形例は、シリンダ部２Ａに孔２Ａ″を貫設し、該孔２Ａ″内に、コイルバネ１８をもって内方に移動するよう付勢された円柱状のインジケータ１９を出没自在に挿入し、前記ピストン部９が最前進位置まで移動したときの水の圧力により前記コイルバネ１８の付勢力に抗して前記孔２Ａ″から突出するようになしたものである。尚、インジケータ１９とシリンダ部２Ａの孔２Ａ″との間にはＯリング２０が介装され、インジケータ１９とシリンダ部２Ａとの間の水密性が保たれている。また、シリンダ部２Ａの孔２Ａ″の開口端には、インジケータ１９を摺動自在に嵌合した環状バネ受け２１が取着されている。
【００５７】
該第３変形例においては、図９及び図１０に示す如く、ピストン部９が後退位置にあるときにおいてはインジケータ１９の上端部はシリンダ部２Ａの孔２Ａ″内に没入しており、また、図１１及び図１２に示す如く、ピストン部９が最前進位置に移動したときには、インジケータ１９が流入した水の圧力によって押し上げられ、その上端部がシリンダ部２Ａの孔２Ａ″から突出するものである。
【符号の説明】
【００５８】
１  流量制御弁
２  本体部
２Ａ  シリンダ部
２Ａ′  閉塞部分
２Ａ″  孔
２Ｂ  カバー部
３  流出口
４  開口
７  流入口
９  ピストン部
９′  閉塞部分
１０  フランジ部
１０Ａ  傾斜面
１１  小径の開口
１２  大径の開口
１３  コイルバネ
１４  コイルバネ
１５  インジケータ
１８  コイルバネ
１９  インジケータ
１００′  負圧湿式予作動スプリンクラー設備
１００  負圧湿式予作動スプリンクラー設備
１０１  一次側配管
１０２  消火水槽
１０３  送水ポンプ
１０４  二次側配管
１０５  スプリンクラーヘッド
１０６  予作動式流水検知装置
１０７  火災感知器
１０８  吸引管
１０９  真空ポンプ
１１０  吸気管
１１１  排水管
１１３  真空スイッチ
１１４  信号受信盤
１１５  制御盤
【図１】
2019042094.tif 000003
【図２】
2019042094.tif 000004
【図３】
2019042094.tif 000005
【図４】
2019042094.tif 000006
【図５】
2019042094.tif 000007
【図６】
2019042094.tif 000008
【図７】
2019042094.tif 000009
【図８】
2019042094.tif 000010
【図９】
2019042094.tif 000011
【図１０】
2019042094.tif 000012
【図１１】
2019042094.tif 000013
【図１２】
2019042094.tif 000014
【図１３】
2019042094.tif 000015
【図１４】
2019042094.tif 000016
【図１５】
2019042094.tif 000017